(57)【特許請求の範囲】
【請求項１】
ノズルを有して粘稠物や半固形物を収容する容器の開口に取り付けられるキャップと、前記キャップに着脱可能にして取り付けられて前記ノズルを覆うオーバーキャップとからなり、
前記キャップは、ノズルの上端面に長孔状に開口されたノズル孔を有するとともに、ノズル周りにキャップ径方向に相対する一対の段部を有して、該段部それぞれの上面が互いに逆方向に傾斜して設けられ、かつ、前記段部の周面に亘って凹溝が設けられ、
前記オーバーキャップは天面部と周壁部とからなり、前記天面部の裏面には、前記ノズルの上端外周に係脱可能なシールリングとこのシールリングの内側中央であって前記ノズル孔に係脱可能な突条とが設けられ、前記周壁部の内面には、対向配置されて下端それぞれが前記段部上面に摺接可能な一対の長リブとこの長リブの対向方向に直交する方向で対向配置されて下端それぞれが前記段部上面に当接可能な一対の短リブとが設けられ、かつ、周壁部の内面下端に前記凹溝に対応するリブが設けられ、
前記長リブの下端が前記段部の最下端に当接するとともに前記短リブの下端が前記段部の最上端に当接し前記突条がノズル孔に対応してそのノズル孔の長手方向に沿う方向に向いてなるオーバーキャップ正規取付状態時に、前記ノズルの上端外周に前記シールリングが係脱可能に嵌合し、前記突条がノズル孔に着脱可能に嵌合してノズル孔を閉鎖し、前記リブが凹溝に着脱可能に嵌合して、長リブと短リブとの前記段部への当接により支持され段部の最下端である段部間に対応位置する前記長リブにより位置決めされたオーバーキャップが、前記ノズルを覆っていることを特徴とする位置決めキャップ。
【発明の詳細な説明】
【０００１】
【発明の属する技術分野】
本発明は粘稠物や半固形物を帯状に注出できるようにした位置決めキャップに関するものである。
【０００２】
【発明が解決しようとする課題】
一般にマーガリンやマヨネーズなどの食用粘稠物、半固形物をパンなどに塗る場合、それらの食用粘稠物、半固形物を収容した容器からバターナイフなどの食卓用具を用いて取り出して塗り付けるようにしている。そして、使用中のその食卓用具の置き場所を用意する必要があるとともに、使用後には洗浄する手間が発生するため、食用粘稠物や半固形物を収めた容器などから直塗りできるようにしたいとの要望があり、これらの粘稠物や半固形物を塗り広げる手間を軽減するために長孔状の開口を開けて帯状に注出させるようにすることが考えられている。しかしながら、開口の形状に対応した栓体などをその開口に着脱させて開閉することになり、栓体や開口の向きを確認しながらその開口を閉じる操作が必要で、取り扱いに手間を要するものとなる欠点がある。
【０００３】
そこで本発明は上記事情に鑑み、粘稠物や半固形物を注出するために形成された長孔状の開口を手間なく開閉できるようにし、粘稠物や半固形物を帯状に注出できる容器の取り扱いを容易にすることを目的とする。
【０００４】
【課題を解決するための手段】
本発明は上記課題を考慮してなされたもので、ノズルを有して粘稠物や半固形物を収容する容器の開口に取り付けられるキャップと、前記キャップに着脱可能にして取り付けられて前記ノズルを覆うオーバーキャップとからなり、前記キャップは、ノズルの上端面に長孔状に開口されたノズル孔を有するとともに、ノズル周りにキャップ径方向に相対する一対の段部を有して、該段部それぞれの上面が互いに逆方向に傾斜して設けられ、かつ、前記段部の周面に亘って凹溝が設けられ、前記オーバーキャップは天面部と周壁部とからなり、前記天面部の裏面には、前記ノズルの上端外周に係脱可能なシールリングとこのシールリングの内側中央であって前記ノズル孔に係脱可能な突条とが設けられ、前記周壁部の内面には、対向配置されて下端それぞれが前記段部上面に摺接可能な一対の長リブとこの長リブの対向方向に直交する方向で対向配置されて下端それぞれが前記段部上面に当接可能な一対の短リブとが設けられ、かつ、周壁部の内面下端に前記凹溝に対応するリブが設けられ、前記長リブの下端が前記段部の最下端に当接するとともに前記短リブの下端が前記段部の最上端に当接し前記突条がノズル孔に対応してそのノズル孔の長手方向に沿う方向に向いてなるオーバーキャップ正規取付状態時に、前記ノズルの上端外周に前記シールリングが係脱可能に嵌合し、前記突条がノズル孔に着脱可能に嵌合してノズル孔を閉鎖し、前記リブが凹溝に着脱可能に嵌合して、長リブと短リブとの前記段部への当接により支持され段部の最下端である段部間に対応位置する前記長リブにより位置決めされたオーバーキャップが、前記ノズルを覆っていることを特徴とする位置決めキャップを提供して、上記課題を解消するものである。
【０００５】
本発明においては、ノズル周りに位置する一対の段部における最上端に当接する短リブと前記段部の最下端に当接する長リブとがオーバーキャップにあり、キャップに対して正規取付状態の位置からずれて取り付けられたオーバーキャップにあっては前記長リブが段部の最上端から最下端の範囲で当接するようになる。そして、前記長リブを段部に摺接させながらオーバーキャップが下がる方向にそのオーバーキャップを回すと、オーバーキャップの天面部にあるシールリングがノズルの上端に嵌合し、突条がノズル孔に嵌合してそのノズル孔が閉鎖されるようになる。また、オーバーキャップが正規取付状態の位置にあって前記突条によりノズル孔が閉鎖されている時にそのオーバーキャップを回転させると、段部の上面に沿って長リブが摺接しながら上方に移動し、ノズル孔から突条が外れてそのノズル孔が開放されるとともに、シールリングがノズル上端から外れてノズルの上部側が開放されるようになる。
【０００６】
【発明の実施の形態】
つぎに本発明を図１から図４に示す実施の形態に基づいて詳細に説明する。
図中１は位置決めキャップで、該位置決めキャップ１は粘稠物や半固形物を収容した柔軟な容器の開口Ａにねじ付けられるキャップ２とこのキャップ２に被せ付けられるオーバーキャップ３とからなるものである。
前記キャップ２は容器へのねじ付け部分となる円筒状の大径部４の上部中央に、この大径部より小径にし上方に向けて僅かに細くなるように周面を傾斜させた略筒状のノズル５が立設されている。前記ノズル５の周りには大径部４の径方向に相対する一対の段部６が位置し、段部６の上面７それぞれは段部間側を最下端８とし、かつ段部それぞれの中央部分を最上端９として互いに逆方向に傾斜している。また、前記ノズル５の上端面には図示されているように、長手方向が前記段部間の方向と揃うようにして長孔状のノズル孔１０が開口されていて、そのノズル孔１０に向けてノズル上端面が僅かに下り傾斜している。なお、１１はノズル５の上端外周に亘って形成されたリブであり、１２は段部６の周面と大径部４との境界部分に亘って形成された凹溝である。
【０００７】
オーバーキャップ３は円盤状の天面部１３と該天面部１３の裏面から垂下し上記大径部４の外周形状と一致する円筒状とした周壁部１４とを備えてなるもので、前記周壁部１４の内面下端に突設された複数のリブ１５を上記キャップ２における凹溝１２に嵌合させる状態でキャップ２に対して着脱可能に取り付けられ、このオーバーキャップ３にて上記ノズル５が覆われる。
オーバーキャップ３における周壁部１４の内面には、このオーバーキャップ３がキャップ２に対して正規取付状態として上記段部上面７の最下端８に下端が当接する一対の長リブ１６が一体に設けられている。このように長リブ１６はそれぞれが正規取付状態時に最下端８に当接するものであることから、正規取付状態時における段部間の方向に沿って対峙する位置関係となっている。また、同様にして周壁部１４の内面には、前記長リブ１６の対向方向に対して直交する方向で対向する一対の短リブ１７が一体に設けれている。この短リブ１７それぞれはキャップ正規取付状態として上記段部上面７の最上端９に下端が当接するものとされている。
【０００８】
このように周壁部１４の内面には一対の長リブ１６、一対の短リブ１７があり、キャップ正規取付状態時に前記長リブ１６が段部上面７の最下端８に当接するとともに、前記短リブ１７が段部上面７の最上端９に当接してオーバーキャップ３の安定が図られる。また、前記長リブ１６それぞれが段部間にあって上面７の最下端に位置しているため、不用意な力が加わった程度ではこのオーバーキャップ３が回転しないように位置決めされている。
【０００９】
オーバーキャップ３における天面部１３の裏面には、上記ノズル５の上端が着脱可能に嵌合するシールリング１８が一体に設けられていて、キャップ正規取付状態時に上記リブ（ノズル上端外周のリブ）１１がシールリング１８の内面側に嵌り込んで密封する。さらに、前記シールリング１８の中央に突条１９が設けられている。この突条１９は、キャップ正規取付状態時に上記ノズル孔１０の長手方向に沿う向きに設定されていて、ノズル孔１０に着脱可能に嵌合するものである。このようにキャップ正規取付状態時にはシールリング１８にノズルの上端が嵌合して密封が図られ、前記突条１９がノズル孔１０に嵌合してそのノズル孔１０を閉鎖しており、さらに図２に示すように上記リブ１５が上記凹溝１２に着脱可能に嵌合しており、よって、容器内側からの内容物の漏れを防止している。
【００１０】
上記キャップ正規取付状態から上記オーバーキャップ３を回転させると、最下端８に当接していた長リブ１６が段部の上面７に摺接しながら案内されて上方に移動することになる。そして、ノズル上端から上記シールリング１８が外れるとともに、突条１９がノズル孔１０から外れてそのノズル孔１０を開放することになり、オーバーキャップ３を取り外して内容物の注出が行える。
また、ノズル孔１０の閉鎖においては、前記オーバーキャップ３を被せ付けて軽くキャップ２側に押し込むようにする。このとき、キャップ正規取付状態におけるオーバーキャップの向きと異なる場合には、長リブ１６が段部上面７に当接することになり、その段部上面７に摺接しながら最下端８側に向けて案内され移動する。そして、オーバーキャップ３の降下に伴ってシールリング１８に嵌り始め、上記突条１９もノズル孔１０に一致するように回転し、長リブ１６が最下端８に位置した段階で、前記シールリング１８によりノズル上端の密封と前記突条１９によるノズル孔１０の閉鎖が行われ、キャップ正規取付状態となる。なお、オーバーキャップがキャップ正規取付状態の向きと同じ向きにして被せ付けられた場合には、押し込みを行うだけでキャップ正規取付状態となる。
【００１１】
【発明の効果】
以上説明したように、本発明の位置決めキャップにより、段部上面に案内された長リブの移動によるオーバーキャップの上昇によって、長孔状のノズル孔を閉鎖する突条をそのノズル孔から外すようになり、オーバーキャップの回転操作という簡単な操作でノズル孔を開放できるようになる。また、オーバーキャップを被せる際にも、オーバーキャップを押さえ付けるようにするだけで長リブが段部上面の傾斜に案内されて移動し、即ちオーバーキャップが回転しながら降下し、シールリングによるノズル上端への嵌合、ノズル孔への突条の嵌合が行われることになり、長孔状のノズル孔を手間なく閉鎖できるようになるなど、実用性に優れた効果を奏するものである。
【図面の簡単な説明】
【図１】  本発明に係る位置決めキャップのオーバーキャップとキャップとを示す説明図である。
【図２】  オーバーキャップを取り付けたキャップ正規取付状態を一部断面で示す説明図である。
【図３】  キャップを上方から示す説明図である。
【図４】  オーバーキャップを下方から示す説明図である。
【符号の説明】
１…位置決めキャップ
２…キャップ
３…オーバーキャップ
５…ノズル
６…段部
７…上面
８…最下端
９…最上端
１０…ノズル孔
１６…長リブ
１７…短リブ
１８…シールリング
１９…突条
【図１】
0003834843.tif 000002
【図２】
0003834843.tif 000003
【図３】
0003834843.tif 000004
【図４】
0003834843.tif 000005